【手続補正書】
【提出日】平成22年1月7日(2010.1.7)
【手続補正１】
【補正対象書類名】特許請求の範囲
【補正対象項目名】全文
【補正方法】変更
【補正の内容】
【特許請求の範囲】
【請求項１】
混合時に複合流体流を形成する少なくとも２つの個別成分流を混合するデバイスであって、該デバイスは、
該少なくとも２つの個別流の一方と連通するように適合された第１の流路と、
該少なくとも２つの個別流の他方と連通するように適合された第２の流路と、
該第１および第２の流路の各々と連通し、その内部を通る複数の蛇行相互接続通路を画定する３次元格子を備える多孔質混合部材であって、平均流孔径、厚さ、および孔隙率から選択される１つ以上を含む該複合流体流の成分流を十分に混合するための物理的特徴を有する多孔質混合部材と、
を備える、デバイス。
【請求項２】
前記多孔質混合部材の平均流孔径と、厚さと、孔隙率の積は、約０.０１６〜０.０５５の範囲内である、請求項１に記載のデバイス。
【請求項３】
前記多孔質混合部材は、ダーシーの法則：
Ｋ＝Ｑ＊η＊Ｌ／（Ｓ＊ΔＰ）
［式中、Ｑ＝前記複合流体流の流量、
η＝前記２つの成分のより粘度が高い成分の粘度、
Ｌ＝該多孔質混合部材の厚さ、
Ｓ＝該多孔質混合部材の表面積、
ΔＰ＝該多孔質混合部材の上流および下流位置間の圧力変化］
により測定される約５〜１７の範囲内のＫ値を有する、請求項１に記載のデバイス。
【請求項４】
前記デバイスが組織シーラントデバイスである、請求項１に記載のデバイス。
【請求項５】
選択される量のフィブリノゲンおよびトロンビンを有するフィブリン混合物を混合時に生成するフィブリノゲン成分およびトロンビン成分を個別に入れた少なくとも２つの容器をさらに備え、前記第１の流路は、該少なくとも２つの容器の一方と連通し、前記第２の流路は、該少なくとも２つの容器の他方と連通し、該フィブリノゲンおよびフィブリン混合物の各々は、少なくとも１つのアルファモノマー鎖、アルブミン、およびベータモノマー鎖を含み、該フィブリン混合物は、Ｑ値で測定したＸｎ／Ｘ１（ここで、Ｘ１およびＸｎは各々、それぞれ、該フィブリノゲンおよび該混合物について、該アルファ鎖とアルブミンおよび該ベータ鎖の総量の比を表す）の架橋率を有する、請求項４に記載のデバイス。
【請求項６】
フィブリノゲン成分およびトロンビン成分を個別に入れた少なくとも２つの容器をさらに備え、前記第１の流路は、該少なくとも２つの容器の一方と連通し、前記第２の流路は、該少なくとも２つの容器の他方と連通し、前記複合流体流は、それぞれ、第１および第２の光学特性を有する選択される量のフィブリノゲンおよびトロンビンのフィブリン混合物であり、該複合流体流により、前記第１および第２の成分が十分に混合されて該フィブリン混合物を形成するときを示す比較的均質な光学特性が得られる、請求項４に記載のデバイス。
【請求項７】
前記第１および第２の光学特性の一方は蛍光性である、請求項６に記載のデバイス。
【請求項８】
前記多孔質混合部材のうちの少なくとも２つが直列に配置されている、請求項１〜７のいずれか１項に記載のデバイス。
【請求項９】
前記多孔質混合部材は、互いに間隔を空けた関係にある、請求項８に記載のデバイス。
【請求項１０】
前記多孔質混合部材は、ガラス、セラミック、金属、または重合体からなる群から選択される多孔質材料を含む、請求項１〜９のいずれか１項に記載のデバイス。
【請求項１１】
前記多孔質混合物剤は、焼結材料を含む、請求項１０に記載のデバイス。
【請求項１２】
前記多孔質混合部材は、ポリプロピレンまたはポリエチレンから選択される材料を含む、請求項１０または１１に記載のデバイス。
【請求項１３】
前記多孔質混合部材は、前記少なくとも２つの個別流が最初に組み合わされる場所の下流にある、請求項１〜１２のいずれか１項に記載のデバイス。
【請求項１４】
前記第１および第２の流路と、それらの下流において流体連通し、前記少なくとも２つの個別流を選択位置で合流させる第３の流路と、
前記多孔質混合部材の下流に位置し該複合流体流の流出を可能にする出口と、
をさらに備え、該多孔質混合部材が該選択位置に隣接して該選択位置の下流にある、請求項１に記載のデバイス。
【請求項１５】
前記２つの成分の少なくとも一方は液体を含む、請求項１４に記載のデバイス。
【請求項１６】
前記２つの成分の少なくとも一方は固体を含む、請求項１４に記載のデバイス。
【請求項１７】
前記２つの成分の少なくとも一方は気体を含む、請求項１４に記載のデバイス。
【請求項１８】
前記２つの成分は、ディーゼル、オイル、ガソリン、水、および空気から選択される少なくとも２つを含む、請求項１４に記載のデバイス。
【請求項１９】
前記２つの成分は卵白および空気を含む、請求項１４に記載のデバイス。
【請求項２０】
フィブリノゲン成分およびトロンビン成分を個別に入れた少なくとも２つの容器をさらに備える、請求項１４に記載のデバイス。
【請求項２１】
直列に配置された前記多孔質混合部材を少なくとも２つ備える、請求項１４〜２０のいずれか１項に記載のデバイス。
【請求項２２】
前記多孔質混合部材が第１の側面および第２の側面を有する、請求項１に記載のデバイスであって、該デバイスは、
該多孔質混合部材の該第１の側面と流体連通し、第１の成分の供給源と連通するように適合された第１のポートと、
該多孔質混合部材の該第２の側面と流体連通し、第２の成分の供給源と連通するように適合された第２のポートと、をさらに備え、
各ポートは、該多孔質混合部材を介して他方のポートと流体連通し、該第１および第２の成分の一方を、該多孔質混合部材の該第１および第２の側面のうち選択した一方から他方の側面に流し、該第１および第２の成分の両方を該多孔質混合部材を介して他方の側面から還流させるようにした、デバイス。
【請求項２３】
前記複合流体流を回収する容器をさらに備える、請求項２２に記載のデバイス。
【請求項２４】
少なくとも２つの個別成分流を混合して複合流体流を形成する方法であって、該方法は、
第１の成分流を第１の流路に通して流す工程と、
第２の成分流を第２の流路に通して流す工程と、
該第１の成分流および該第２の成分流を、該第１の流路および第２の流路から、内部を通る複数の蛇行相互接続通路を画定する３次元格子を備える多孔質混合部材に通す工程であって、該多孔質混合部材は、平均流孔径、厚さ、および孔隙率から選択される１つ以上を含む該複合流体流の成分流を十分に混合するための物理的特徴を有する、工程と、
を包含する、方法。
【請求項２５】
前記多孔質混合部材の平均流孔径と、厚さと、孔隙率の積は、約０.０１６〜０.０５５の範囲内である、請求項２４に記載の方法。
【請求項２６】
前記多孔質混合部材は、ダーシーの法則：
Ｋ＝Ｑ＊η＊Ｌ／（Ｓ＊ΔＰ）
［式中、Ｑ＝前記複合流体流の流量、
η＝前記２つの成分のより粘度が高い成分の粘度、
Ｌ＝該多孔質混合部材の厚さ、
Ｓ＝該多孔質混合部材の表面積、
ΔＰ＝該多孔質混合部材の上流および下流位置間の圧力変化］
により測定される約５〜１７の範囲内のＫ値を有する、請求項２４に記載の方法。
【請求項２７】
前記第１の成分流および第２の成分流が組織シーラント組成物の成分である、請求項２４〜２６のいずれか１項に記載の方法。
【請求項２８】
前記第１の成分流および第２の成分流がフィブリノゲンおよびトロンビンを含む、請求項２４〜２６のいずれか１項に記載の方法。